(57)【要約】【課題】カーテン下縁部と床面との隙間から窓部からの冷気や熱気が室内に侵入することを抑制できる隙間カバー付きカーテンを提供する。【解決手段】この隙間カバー付きカーテン１０は、前記カーテンレールにスライド可能に取付けられたランナーに、フックを介して吊り下げられるカーテン本体２０と、カーテン本体２０の下縁部に沿って、カーテン本体２０の高さ方向の長さを延長するように、着脱手段を介して着脱可能に取付けられた隙間カバー３０とを備え、カーテン本体２０は、その下縁部が、部屋の床面３に対して、０〜１０ｃｍの隙間をあけて吊り下げられ、隙間カバー３０の少なくとも下縁部３５が、部屋の床面３に接地して所定長さで床面３を覆うように構成されている。【選択図】図２
2016195725.tif 000002
【特許請求の範囲】
【請求項１】
部屋の窓部内側にカーテンレールを介して吊設されるカーテンであって、
前記カーテンレールにスライド可能に取付けられたランナーに、フックを介して吊り下げられるカーテン本体と、
該カーテン本体の下縁部に沿って、前記カーテン本体の高さ方向の長さを延長するように、着脱手段を介して着脱可能に取付けられた隙間カバーとを備え、
前記カーテン本体は、その下縁部が、前記部屋の床面に対して、０〜１０ｃｍの隙間をあけて吊り下げられ、前記隙間カバーの少なくとも下縁部が、前記部屋の床面に接地して所定長さで床面を覆うように構成されていることを特徴とする隙間カバー付きカーテン。
【請求項２】
前記カーテン本体の前記カーテンレールへの吊り下げ位置から前記隙間カバーの下縁部に至る長さが、前記吊り下げ位置から床面に至る長さよりも、５〜３０ｃｍ長くなるように構成されている請求項１記載の隙間カバー付きカーテン。
【請求項３】
前記カーテンレールは、前記部屋の窓部側に設置された、レースカーテン用の窓側レールと、該窓側レールよりも室内側に平行に設置された、前記隙間カバー付きカーテン用の室内側レールとからなり、
前記カーテン本体は、その上縁部の少なくとも一方の端部が、前記室内側レールの端部から前記窓側レールの端部に至るようにＬ字状に屈曲されて、前記室内側レールの端部及び前記窓側レールの端部に、それぞれフックを介して吊り下げられるように構成されている請求項１又は２記載の隙間カバー付きカーテン。
【請求項４】
前記隙間カバーは、その上縁部が、前記カーテン本体の下縁部に、重なり合うようにして、前記着脱手段を介して取付けられている、請求項１〜３のいずれか１つに記載の隙間カバー付きカーテン。
【発明の詳細な説明】
【技術分野】
【０００１】
本発明は、部屋の窓部内側にカーテンレールを介して吊設されるカーテンであって、下縁部に隙間カバーが取付けられた、隙間カバー付きカーテンに関する。
【背景技術】
【０００２】
一般的に、部屋の窓部内側には、遮光や遮蔽等のための、開閉するカーテンが吊り下げられている。また、カーテンは、窓部からの冷気や熱気が部屋内に侵入するのを抑制するという機能もある。
【０００３】
このようなカーテンは、不使用時には窓の側部に折り畳まれて配置され、使用時に広げて窓を覆うが、この際にはカーテンレールにスライド可能に配置されたランナーを介して、開閉スライドさせるようになっている。この際に、カーテンの下縁部が、部屋の床面に接していると、カーテンが床面を擦りながらスライドするため、一般的には、部屋の床面に対して多少の隙間があるように、カーテンが吊り下げられていることが多い。
【０００４】
上記のようなカーテンとして、例えば、下記特許文献１には、カーテン本体に、ホックや面ファスナー等によって、フリルクロスを着脱自在に取付けた、組合わせカーテンが記載されている。
【０００５】
また、下記特許文献２には、第１のカーテン地と、第２のカーテン地とを有し、前記第１のカーテン地の下縁部に雄ファスナが縫合され、前記第２のカーテン地の上縁部に雌ファスナが縫合されており、前記雄ファスナに前記雌ファスナを歯合させることにより、第１のカーテン地の下方に、第２のカーテン地が着脱可能に取付けられて、カーテンの丈寸法が伸長するように構成された、カーテンが記載されている。
【先行技術文献】
【特許文献】
【０００６】
【特許文献１】実開昭６１−３４９９１号公報
【特許文献２】国際公開ＷＯ２００８／０３５６２６号パンフレット
【発明の概要】
【発明が解決しようとする課題】
【０００７】
上述したように、カーテンは、その下縁部を床面に対して隙間をあけて、カーテンレールに吊り下げることが多い。しかしながら、この場合には、カーテンの下縁部と床面との間の隙間から、窓部からの冷気が侵入してしまって、室内の温度低下を招くという不都合があった。また、夏の気温が高い日等において、エアコン等で室内を冷やしている場合、外からの熱気が、カーテンの下縁部と床面との間の隙間から侵入して、室内の温度が上昇するという不都合もある。
【０００８】
また、上記特許文献１の組合わせカーテンでは、カーテン本体にフリルクロスを取付けることが記載されているものの、これは単に装飾性を高めるためのものであって、カーテン下縁部と床面との隙間からの、冷気侵入を抑制することについては何ら工夫はない。
【０００９】
更に、上記特許文献２のカーテンにおいても、第１のカーテン地の下方に、第２のカーテン地が着脱可能に取付けられているものの、これは窓の大きさに合わせてカーテンの丈寸法を調整するためのものであって、第２のカーテン地の下縁部と床面との隙間からの、冷気侵入を抑制することについては何ら記載されていない。
【００１０】
したがって、本発明の目的は、カーテンの下縁部と床面との隙間から、窓部からの冷気や熱気が室内に侵入することを抑制することができる、隙間カバー付きカーテンを提供することにある。
【課題を解決するための手段】
【００１１】
上記目的を達成するため、本発明に係る隙間カバー付きカーテンは、部屋の窓部内側にカーテンレールを介して吊設されるカーテンであって、前記カーテンレールにスライド可能に取付けられたランナーに、フックを介して吊り下げられるカーテン本体と、該カーテン本体の下縁部に沿って、前記カーテン本体の高さ方向の長さを延長するように、着脱手段を介して着脱可能に取付けられた隙間カバーとを備え、前記カーテン本体は、その下縁部が、前記部屋の床面に対して、０〜１０ｃｍの隙間をあけて吊り下げられ、前記隙間カバーの少なくとも下縁部が、前記部屋の床面に接地して所定長さで床面を覆うように構成されていることを特徴とする。
【００１２】
上記発明によれば、カーテン本体の下縁部が、床面に対して０〜１０ｃｍの隙間をあけて吊り下げられ、かつ、隙間カバーが床面に接地して所定長さで床面を覆うように取付けられているので、カーテンと床面との隙間が、隙間カバーによって塞がれ、窓部からの冷気や熱気が室内に侵入することを抑制し、室内の温度低下や温度上昇を防いで、室内を過ごしやすい快適な温度に維持することができる。また、隙間カバーは、着脱手段を介してカーテン本体の下縁部に取付けられているので、隙間カバーが汚れた場合には、カーテン本体から取外すことができ、洗濯や交換等をすることができる。更に、夏期等の冷気侵入を抑制する必要がない季節には、隙間カバーを取り外して、カーテン本体だけで使用することもできる。
【００１３】
本発明に係る隙間カバー付きカーテンにおいては、前記カーテン本体の前記カーテンレールへの吊り下げ位置から前記隙間カバーの下縁部に至る長さが、前記吊り下げ位置から床面に至る長さよりも、５〜３０ｃｍ長くなるように構成されていることが好ましい。
【００１４】
上記態様によれば、隙間カバーの下縁部が床面に接地して、適度な長さで床面を覆うので、カーテンと床面との隙間を確実に覆って、室内への冷気や熱気の侵入をより効果的に抑制することができると共に、カーテンの開け閉め操作がしづらくならないようにすることができる。
【００１５】
本発明に係る隙間カバー付きカーテンにおいては、前記カーテンレールは、前記部屋の窓部側に設置された、レースカーテン用の窓側レールと、該窓側レールよりも室内側に平行に設置された、前記隙間カバー付きカーテン用の室内側レールとからなり、前記カーテン本体は、その上縁部の少なくとも一方の端部が、前記室内側レールの端部から前記窓側レールの端部に至るようにＬ字状に屈曲されて、前記室内側レールの端部及び前記窓側レールの端部に、それぞれフックを介して吊り下げられるように構成されていることが好ましい。
【００１６】
上記態様によれば、カーテン本体の上縁部の少なくとも一方の端部が、室内側レールの端部から窓側レールの端部に至るようにＬ字状に屈曲されて吊り下げられるので、カーテンの幅方向の端部において、窓部とカーテンとの隙間が生じるのを抑制し、カーテンの幅方向の端部から冷気や熱気が室内に侵入することを防いで、冷気による室温低下や熱気による室温上昇をより効果的に抑制することができる。
【００１７】
本発明に係る隙間カバー付きカーテンにおいては、前記隙間カバーは、その上縁部が、前記カーテン本体の下縁部に、重なり合うようにして、前記着脱手段を介して取付けられていることが好ましい。
【００１８】
上記態様によれば、隙間カバーの上縁部が、カーテン本体の下縁部に重なり合うようにして着脱手段を介して取付けられているので、カーテン本体の下縁部と隙間カバーの上縁部との取付部分の隙間を極力小さくすることができ、冷気による室温低下や熱気による室温上昇をより効果的に抑制することができる。
【発明の効果】
【００１９】
本発明によれば、カーテン本体の下縁部が床面に対して０〜１０ｃｍの隙間をあけて吊り下げられ、かつ、隙間カバーが床面に接地して所定長さで床面を覆うように取付けられているので、カーテンと床面との隙間が隙間カバーによって塞がれ、窓部からの冷気や熱気が室内に侵入することを抑制でき、室内の温度低下や温度上昇を防いで、室内を過ごしやすい快適な温度に維持することができる。
【図面の簡単な説明】
【００２０】
【図１】本発明に係る隙間カバー付きカーテンの、一実施形態を示す分解斜視図である。
【図２】同カーテンの斜視図である。
【図３】同カーテンの着脱手段の拡大斜視図である。
【図４】同カーテンを、部屋に設置した状態の正面図である。
【図５】同カーテンを、部屋に設置した状態の側面説明図である。
【図６】室内温度測定試験において、温度センサーの位置を示す写真である。
【図７】室内温度測定試験の結果を示しており、（ａ）は窓下辺の端部付近での測定結果を示す図表、（ｂ）は窓下辺の中央付近での測定結果を示す図表である。
【発明を実施するための形態】
【００２１】
以下、図１〜５を参照して、本発明に係る隙間カバー付きカーテンの、一実施形態について説明する。
【００２２】
図１、図２及び図５に示すように、この隙間カバー付きカーテン１０（以下、単に「カーテン１０」という）は、部屋１の窓部２の内側に、カーテンレールを介して吊設されるものであって、カーテンレールにスライド可能に取付けられたランナー５３に、フック５５を介して吊り下げられるカーテン本体２０と、該カーテン本体２０の下縁部３５に沿って、カーテン本体２０の高さ方向の長さを延長するように、着脱手段を介して着脱可能に取付けられた隙間カバー３０とを備えている。
【００２３】
図１及び図２に示すように、この実施形態における前記カーテンレールは、部屋１の窓部２側に設置された、レースカーテン５用の窓側レール５０と、該窓側レール５０よりも室内側に平行に設置された、カーテン１０用の室内側レール５１とからなる。これらのレール５０，５１は、複数のブラケット５２を介して、部屋１の内壁に設置されている。なお、レースカーテン５用の窓側レール５０は設置しなくても差し支えない。
【００２４】
また、カーテン１０を構成するカーテン本体２０は、所定高さ及び所定幅で形成された幅広布状をなすものであって、その上縁部２１に所定間隔をあけて複数のフック５５が装着されており、これら複数のフック５５を、室内側レール５１にスライド可能に取付けられた複数のランナー５３（図１参照）にそれぞれ引き掛けることで、室内側レール５１にカーテン本体２０がスライド可能に吊り下げられるようになっている。
【００２５】
図１に示すように、上記カーテン本体２０の下縁部２５であって、裏面側（窓部側の面）には、所定長さで伸びるテープ２７が縫着されており、該テープ２７には、複数の雄ホック２９（図３参照）が所定間隔をあけて取付けられている。
【００２６】
また、図１に示すように、カーテン本体２０の上縁部２１であって、その幅方向の一端部２３は、室内側レール５１の長手方向一端部から、窓側レール５０の長手方向一端部に至るように、Ｌ字状に屈曲されており、この一端部２３が、室内側レール５１及び窓側レール５０の端部に、フック５５を介して吊り下げられている。なお、この実施形態では、カーテン本体２０の一端部２３は、上縁部２１から下縁部２５に至るまで、Ｌ字状に屈曲されている。
【００２７】
上記カーテン本体２０は、例えば、ポリエステル、アクリル、レーヨン、綿、麻、ナイロン等の生地で形成される。また、カーテン本体２０は、窓幅に対して幅広の生地を用い、ヒダをとって作成されたものであることが好ましい。ヒダは、例えば２つ山ヒダ、３つ山ヒダなどが採用できる。更に、カーテン本体２０は、所定の折れ目形状を維持するために、形態安定性を有する生地で形成されていてもよい。
【００２８】
そして、図５に示すように、このカーテン本体２０は、その下縁部２５が、部屋１の床面３に対して、０〜１０ｃｍの隙間Ｃをあけて、前記室内側レール５１に吊り下げられるように、吊り下げ位置となる上縁部２１から下縁部２５に至る長さＬ１が設定されている。この隙間Ｃは、１〜５ｃｍであることが好ましく、１〜３ｃｍであることがより好ましい。前記隙間Ｃが０未満（隙間がない状態）では、カーテン開閉時にカーテン本体２０の下縁部２５が床面３に接触し、カーテン本体２０自体が汚れやすくなると共に、夏期等において、隙間カバー３０を取り外して使用する際の使い勝手が悪くなるので好ましくない。また、隙間Ｃが１０ｃｍを超えると、夏期等において、隙間カバー３０を外して使用するときに、床面３との隙間Ｃが大きくなり、見栄えが悪くなる。
【００２９】
なお、特に図示しないが、レースカーテン５も、その上縁部に装着された複数のフックを、窓側レール５０に取付けられた複数のランナーに引き掛けることで、窓側レール５０にスライド可能に吊り下げられるようになっている（図２参照）。
【００３０】
上記カーテン本体２０の、下縁部２５に着脱可能に取付られる、隙間カバー３０は、カーテン本体２０とほぼ同一幅で伸びる帯状をなしている。この隙間カバー３０の上縁部３１であって、その表面側（室内側の面）には、所定長さで伸びるテープ３７が縫着されており、該テープ３７には、前記カーテン本体２０の複数の雄ホック２９に着脱する、複数の雌ホック３９（図３参照）が所定間隔をあけて取付けられている。
【００３１】
したがって、図３に示すように、カーテン本体２０の下縁部２５の裏面側に、隙間カバー３０の上縁部３１の表面側を重ね合わせて、複数の雄ホック２９に複数の雌ホック３９を接続することで、隙間カバー３０の上縁部３１がカーテン本体２０の下縁部２５に重なり合うようにして、着脱可能に取付けられるようになっている（図２及び図５参照）。
【００３２】
すなわち、この実施形態においては、上記雄ホック２９及び雌ホック３９が、本発明における「着脱手段」をなしている。なお、この着脱手段としては、例えば、カーテン本体又は隙間カバーの一方に取付けたボタンと、他方に設けたボタンが嵌合するボタン穴とから構成したり、カーテン本体又は隙間カバーの一方に設けられた、フック状に起毛した面ファスナーと、他方に設けられた、ループ状に起毛した面ファスナーとから構成したり、カーテン本体及び隙間カバーにエレメントを設けて、スライダーにより開閉させる、いわゆるスライドファスナー等としてもよく、特に限定はされない。
【００３３】
なお、この実施形態では、図５に示すように、カーテン本体２０の下縁部２５の裏面側に、隙間カバー３０の上縁部３１の表面側を重ね合わせて取付けたが、これとは逆に、カーテン本体２０の下縁部２５の表面側に、隙間カバー３０の上縁部３１の裏面側を重ね合わせて取付けてもよい。
【００３４】
また、図１に示すように、この実施形態における隙間カバー３０は、カーテン本体２０の一端部２３の形状に対応して、その幅方向の一端部３３が、上縁部３１から下縁部３５に至るまで、Ｌ字状に屈曲されている。
【００３５】
更に図５に示すように、隙間カバー３０の高さ方向の長さＬ２（上縁部３１から下縁部３５に至る長さ）は、５〜５０ｃｍであることが好ましく、１０〜３０ｃｍであることがより好ましく、１５〜２５ｃｍであることが最も好ましい。
【００３６】
そして、このカーテン１０においては、上記隙間カバー３０の上縁部３１を、カーテン本体２０の下縁部２５に取付けたときに、隙間カバー３０の少なくとも下縁部３５が、部屋１の床面３に接地して所定長さで床面３を覆うように構成されている。
【００３７】
また、図５に示すように、カーテン本体２０のカーテンレール（室内側レール５１）への吊り下げ位置Ａから、隙間カバー３０の下縁部３５に至る長さＬ３（吊り下げ位置Ａから、隙間カバー３０が床面３に接地しないように吊り下げた状態での長さ）が、前記吊り下げ位置Ａから床面３に至る長さＬ４よりも、５〜３０ｃｍ長くなるように構成されていることが好ましく、１５〜２０ｃｍ長くなるように構成されていることがより好ましい。なお、前記長さＬ３が、前記長さＬ４よりも、５ｃｍ未満の長さだと、床面３に対する隙間カバー３０のカバー量（接地量）が少なく、室内に冷気や熱気が侵入しやすくなり、３０ｃｍを超える長さだと、床面３に対する隙間カバー３０のひきずり量が大きくなり、カーテン１０の開閉がしにくくなる。
【００３８】
なお、以上説明した隙間カバー３０は、例えば、ポリエステル、アクリル、レーヨン、綿、麻、ナイロン等の生地で形成され、カーテン本体２０の下縁部の形状に合わせた形状で作成されることが好ましい。また、形態安定性を有する生地で形成されていてもよい。また、隙間カバー３０の材質を、カーテン本体２０の材質と異なるものとしてもよく、更に、隙間カバー３０の色彩や模様を、カーテン本体２０の色彩や模様と異なるものとしてもよい。
【００３９】
次に、上記構造からなるカーテン１０の作用効果について説明する。
【００４０】
すなわち、このカーテン１０は、カーテン本体２０の下縁部２５の雄ホック２９に、隙間カバー３０の上縁部３１の雌ホック３９を係脱させることで（図３参照）、図２、図４及び図５に示すように、カーテン本体２０の下縁部２５に、隙間カバー３０を着脱可能に取付けることができる。そのため、隙間カバー３０が汚れた場合には、カーテン本体２０から取外すことができ、洗濯や交換等をすることができる。
【００４１】
そして、このカーテン１０においては、図５に示すように、カーテン本体２０の下縁部２５が、部屋１の床面３に対して０〜１０ｃｍの隙間Ｃをあけて前記室内側レール５１に吊り下げられて、かつ、隙間カバー３０の少なくとも下縁部３５が、部屋１の床面３に接地して所定長さで床面３を覆うように取付けられている。そのため、カーテン１０と床面３との隙間Ｃが、隙間カバー３０によって塞がれるので、窓部２からの冷気や熱気が部屋１の室内に侵入することを抑制することができ、その結果、室内の温度低下や温度上昇を防いで、室内を過ごしやすい快適な温度に維持することができる。
【００４２】
また、図５に示すように、カーテン本体２０のカーテンレールへの吊り下げ位置Ａから、隙間カバー３０の下縁部３５に至る長さＬ３が、吊り下げ位置Ａから床面３に至る長さＬ４よりも、５〜３０ｃｍ長くなるように構成されている場合には、隙間カバー３０の下縁部３５が床面３に接地して、適度な長さで床面３を覆うので、カーテン１０と床面３との隙間Ｃを確実に覆って、室内への冷気や熱気の侵入をより効果的に抑制することができると共に、カーテン１０の開け閉め操作がしづらくならないようにすることができる。
【００４３】
また、夏期等の季節において、室内への冷気の侵入を抑制する必要がない場合には、隙間カバー３０を外して、カーテン本体２０だけで使用することができ、その場合には、カーテン本体２０の下縁部が、部屋の床面に対して、０〜１０ｃｍの隙間をあけて吊り下げられているので、カーテンの使い勝手がよくなると共に、カーテン本体２０の下縁部が床面に接触して汚れやすくなることを防止できる。
【００４４】
更にこの実施形態においては、図１及び図２に示すように、カーテン本体２０の上縁部３１であって、その幅方向の一端部２３は、室内側レール５１の端部から、窓側レール５０の端部に至るようにＬ字状に屈曲され、この一端部２３が、室内側レール５１及び窓側レール５０の端部にフック５５を介して吊り下げられた構造となっている。このように、カーテン本体２０の上縁部２１の一端部２３が、室内側レール５１の端部から窓側レール５０の端部に至るようにＬ字状に屈曲されて吊り下げられているので、カーテン１０の幅方向の端部において、窓部２とカーテン１０との隙間が生じるのを抑制し、カーテン１０の幅方向の一端部から冷気や熱気（図２の矢印参照）が室内に侵入することを防いで、冷気による室温の低下や、熱気による室温の上昇をより効果的に抑制することができる。
【００４５】
また、この実施形態においては、図５に示すように、隙間カバー３０の上縁部３１が、カーテン本体２０の下縁部２５に重なり合うようにして、着脱手段（ここでは雄ホック２９及び雌ホック３９）を介して取付けられているので、カーテン本体２０の下縁部２５と隙間カバー３０の上縁部３１との取付部分の隙間を極力小さくすることができ、室温の低下をより効果的に抑制することができる。
【００４６】
なお、本発明は、上述した実施形態に限定されるものではなく、本発明の要旨の範囲内で、各種の変形実施形態が可能であり、そのような実施形態も本発明の範囲に含まれる。
【実施例】
【００４７】
本発明に係る隙間カバー付きカーテンについて、窓部からの冷気の侵入がどの程度抑制できるかどうかについて試験した。
【００４８】
（実施例）
図１及び図２に示すカーテンと同様のカーテンを、実施例とした。この実施例のカーテンは、カーテン本体の下縁部と床面との隙間は３ｃｍであり、隙間カバーの下縁部が床面に接地して所定長さで覆っており、更に、カーテン本体及び隙間カバーの一端部が、室内側レールの端部から窓側レールの端部に至るようにＬ字状に屈曲した構造となっている。
【００４９】
（比較例１）
窓部にカーテンを吊り下げていない状態（カーテンなし）を、比較例１とした。
（比較例２）
前記実施例のカーテンに対して、隙間カバーがないものを、比較例２のカーテンとした。カーテンの下縁部と床面との隙間は３ｃｍであった。
【００５０】
（試験方法）
試験室の窓に、下記の実施例、比較例１、比較例２のカーテンを吊り下げて、窓外側を２０°から０°まで冷却した後、５分間隔で１２０分経過するまでの、室内の温度の変化を測定した。
【００５１】
また、温度測定用の温度センサーは、図６に示すように、窓枠の一端部から横方向に１５ｃｍ離れた位置（高さ３ｃｍ）、及び、このセンサーから４５ｃｍ離れ、かつ、窓枠中央から１０ｃｍ離れた位置（高さ３ｃｍ）に設置した。すなわち、測定位置は、窓下辺の中央付近と、窓下辺の端部付近との、２箇所で測定した。
【００５２】
その試験結果を、図７（ａ），（ｂ）に示す。図７（ａ）が、窓下辺の端部付近で測定した場合の結果であり、図７（ｂ）が、窓下辺の中央付近で測定した場合の結果である。
【００５３】
なお、この試験は、本出願人が、一般財団法人  日本繊維製品品質技術センター  福井試験センターに依頼して行われたものである。
【００５４】
（試験結果）
図７（ａ）に示すように、窓部端部においては、実施例のカーテンを吊り下げると、比較例１のカーテンなしの場合よりも、温度が低下しているのに対して、図７（ｂ）に示すように、窓部中央においては、実施例のカーテンを吊り下げた場合に、温度が高く維持されている。
【００５５】
これは、窓部端部からの冷気を相当量遮断するために、実施例のカーテンの、窓部端部での温度低下が大きいものと推察される。すなわち、窓部端部からの冷気は、実施例のカーテンによって遮断される量が多く、冷気が室内に侵入しにくくなっているものと考えられ、その結果、室内中央部での温度低下を抑制できる傾向にあることが分かった。
【符号の説明】
【００５６】
１  部屋
２  窓部
３  床面
５  レースカーテン
１０  隙間カバー付きカーテン（カーテン）
２０  カーテン本体
２１  上縁部
２３  一端部
２５  下縁部
２７  テープ
２９  雄ホック
３０  隙間カバー
３１  上縁部
３３  一端部
３５  下縁部
３９  雌ホック
５０  窓側レール
５１  室内側レール
５２  ブラケット
５３  ランナー
５５  フック
Ｃ  隙間
【図１】
2016195725.tif 000003
【図２】
2016195725.tif 000004
【図３】
2016195725.tif 000005
【図４】
2016195725.tif 000006
【図５】
2016195725.tif 000007
【図６】
2016195725.tif 000008
【図７】
2016195725.tif 000009